(57)【要約】      （修正有）【課題】作業者が屋根に降り積もった雪を地上から、あるいは屋根の上から効率よく、しかも安全に低労力で万遍なく除去できる除雪具を提供する。【解決手段】除雪具１０は長尺の操作部１１と、操作部の先端に取り付けられた除雪部１２からなる。除雪部は雪を滑り落とす平板部１２ａと、その背後に起立した雪をかき落とす背板部１２ｂから成る。地上から除雪する時は、平板部を雪に斜め方向から差し込み、その後、操作部を軽く持ち上げ、手前に操作部を引くと、雪は自重で平板部から滑り落ちる。屋根の上から除雪する時は、雪の上から差し込み、軽く操作部を押すように持ち上げると、雪は滑り落ちる。背板部は除雪具を裏返して使用する時、地上から除雪する際は、操作部を作業者側に引き寄せる動作により、また屋根の上から除雪する際は、下方に向かって操作部を押すことによって、雪をかき落とす。【選択図】図１
2020070704.tif 000002
【特許請求の範囲】
【請求項１】
家屋の屋根等に積もった雪をおろす際に用いる除雪具において、作業者が握って操作する長尺の操作部とその操作部の先端に除雪部を取り付け、その除雪部は平板部とその背後に起立した背板部を有することを特徴とする除雪具。
【請求項２】
家屋の屋根らに積もった雪を、地上から除雪する際は、除雪具の平板部を空に向け、平板部を利用して雪を滑り落し除雪する方法と、裏返して背板部を利用して雪をかき落とし除雪する方法の、異なる除雪方法が出来る請求項１記載の除雪具。
【請求項３】
家屋の屋根らに積もった雪を、屋根に上がって、あるいは二階の窓から除雪する際は、除雪具の平板部を空に向け、平板部を利用して雪を滑り落し除雪する方法と、裏返して背板部を利用して雪を押しながらかき落として除雪する方法の、異なる除雪方法が出来る請求項１記載の除雪具。
【発明の詳細な説明】
【技術分野】
【０００１】  本発明は、家屋の屋根などに降り積もった雪を効率よく、しかも安全に低労力で万遍なく除去できる除雪具に関する。
【背景技術】
【０００２】  屋根に積もった雪を除雪する方法としては、屋根に登ってスコップなどにより除雪作業するのが一般的である。しかし、積雪した屋根の足場は非常に不安定で、しかも非常に滑りやすいため、作業中に誤って落下する事故が多い。【０００３】  このような事故を防ぐため、屋根に降り積もった雪を安全にしかも効率よく除雪する方法が提案されている。例えば危険な軒先での除雪ではなく、長尺の柄で軒先から離れた場所で除雪する除雪具が提案されている。
特許文献１に示す除雪具は、長尺状の柄の先端に雪切断部材と蛇腹状の板状部材を備えたもので、積雪した雪を、地上から押し込み蛇腹状の板材部材上を滑り落すものである。また屋根に上がって除雪具を手前に引いて雪を滑り落すものである。【０００４】  特許文献２に示す除雪具は、雪の表面に上から長尺の柄のついた除雪具を振りおろし、手前に引く方法で除雪するものである。【０００５】特許文献３に示す長尺の柄のついた除雪具は積もった雪を下方から押し込んで除雪する方法である。
【先行技術文献】
【特許文献】
【０００６】
【特許文献１】特許第６２８２７０７
【特許文献２】実用新案登録第３１８２９６４
【特許文献３】実用新案登録第３１６８５０５
【発明の概要】
【発明が解決しようとする課題】
【０００７】  従来の除雪具はいずれも積もった雪に対して、引いて除雪するか、あるいは押し込んで除雪するものである。特許文献１は除雪する際、蛇腹の部分を絶えず引きずりながらの作業が必要で操作技術と労力が必要であった。特許文献２は絶えず積もった雪の上に除雪具を持ち上げ振り下ろし、下方に雪を引き落とす必要があり、かなりの労力が必要であった。特許文献３は下方から突き落とす方法によるもので軒先に積もった雪は除雪でき易くても、屋根上方の雪の除雪は効率よくできなかった。【０００８】  本発明は上記背景技術の問題点を鑑みてなされたものであり、簡単な構造で、除雪具の長尺の操作部、平板部及び背板部各々を使用して、効率よく、安全で、しかも低労力で万遍なく除雪することが出来る除雪具を提供するものである。。
【課題を解決するための手段】
【０００９】    家屋の屋根などに積もった雪を、効率よく、安全で、しかも低労力で万遍なく除雪を行うため、本発明の除雪具は、操作する長尺の操作部とその操作部の先端に取り付けた除雪部からなる。地上から除雪する際、その除雪部は雪が自重で滑り落ちやすい平板部と、裏返して操作部を手前に引くことにより、雪をかき落とし出来る背板部を備え、異なる除雪方法で除雪できる除雪具。
また、屋根に上がって、あるいは窓から除雪する際には、平板部と背板部で押しながら雪を滑り落す。また裏返して、操作部を下方に押し込むくことにより、雪を押しながらかき落とし出来る背板部を備え、異なる除雪方法で除雪できる除雪具。
【発明の効果】
【０００１０】    本発明の除雪具は地上から屋根に積雪した雪を除雪する際は、除雪具を下から、屋根に積もった雪に斜め方向から差し込み軽く持ち上げた後、手前に除雪具を引くと、平板部上に載った雪は除雪具を引く作用とその自重で除雪具の平板部から滑り落ちる。また滑り落ちる勢いで地上まで落とすことが出来る。除雪具は雪の上に置いた状態で除雪作業が出来、また雪は滑り落ちるため作業者への負担は少ない。また背板部は雪を滑り落す際、直接作業者に滑り落ちることを防ぐ効果もある。
上記除雪により滑り落ちずに途中で残った雪は、除雪具を裏返し、背板部を利用して、手前に引くように除雪すれば、容易に、しかも万遍なく雪を地上までかき落とすことが出来る。
また、屋根に上がって除雪する際や、窓から除雪する時は、除雪具を屋根に積雪した雪の上から差し込み軽く持ち上げ、押すと、その作用と雪の自重により簡単に滑り落ちる。上記除雪により滑り落ちずに途中で残った雪は、除雪具を裏返し、背板部を利用して、操作部を下方に押しながら、雪をかき落とすようすれば、容易に、しかも万遍なく除雪することが出来る。屋根に上がって除雪する際も、除雪具は雪の上に置いた状態で除雪作業が出来、また雪は滑り落ちるため作業者への負担は少ない。
【図面の簡単な説明】
【０００１１】
【図１】本発明の実施形態の除雪具を示す斜視視図である。
【図２】本発明の実施形態の除雪具を裏返した状態を示す斜視図である、
【図３】実施形態の除雪具の操作部の長さが調整可能である例を示す斜視図である。
【図４】この実施形態の除雪具の平板部を使用し、地上から滑り落して除雪している状態を示す斜視図である。
【図５】この実施形態の除雪具を裏返して背面部を使用し、地上からかき落として除雪している状態を示す斜視図である。
【図６】この実施形態の除雪具の平板部を使用し、屋根に上がって滑り落して除雪している状態を示す斜視図である。
【図７】この実施形態の除雪具を裏返して背面部を使用し、屋根に上がってかき落として除雪している状態を示す斜視図である。
【発明を実施するための形態】
【０００１２】  本発明の実施形態を図面に基づいて以下に説明する。
図１〜図７はこの考案の一実施形態を示すもので、この実施形態の除雪具１０は、任意の長さの操作部１１と、操作部１１の先端部に固定された除雪部１２とから成る。操作部１１は、図４、図５に示すように地面に立つ作業者１５が持った時に家屋１６の屋根に除雪部が届く長さであり、例えば３メートルから５メートルである。この時、作業者は家屋１６から安全な距離だけ離れることが出来る。また軒先から除雪していくと、除雪した雪により作業者の足場も高くなり、家屋１６の上方まで容易に除雪できる距離を確保できるようになる。
【０００１３】    除雪部１２は平板部１２ａと背板部１２ｂからなり、平板部１２ａ、背板部１２ｂは軽量で、雪が自重で滑り落ち易い合成樹脂や金属製のもの、又は合成樹脂や金属との複合素材などがよい。平板部と背板部は一体形成されたものがよいが、平板部と、背板部が別々の物であっても接着剤や、金具でしっかり固定されたものであればよい。また平板部や背板部の厚さは１ｍｍから１０ｍｍ程度のものがよいが、厚いと除雪具が重くなり、また雪に差し込み難くなるため、強度、作業性などを考慮すると平板部は２ｍｍから５ｍｍ程度のものがよい。
【０００１４】    除雪部１２と操作部１１の取り付ける方法は、図１、図２で示すようにボルト、ナット等で固定する。ボルトでの取り付けの他、平板部と操作部を直接ねじや結束バンドなどによる取り付けでもよく、確実に固定されるものであればよい。除雪部１０と操作部１１を着脱式などにすると使用後の保存に便利である。
【０００１５】    操作部１１は、筒状部材１１ａ、１１ｂ、１１ｃをそれぞれ順次装着して接続し、固着具で固定されている。操作部１１は、この構成に限定されず、一本の筒状部材、棒状部材などからなるものでもよい。また図３に示すように、伸縮リング１４により、筒状部材１１ｄが筒状部材１１ｅ部にスライド挿着固定できる構成であってもよい。
【０００１６】    次に、除雪具１０の使用方法について図４、図５、図６、図７に基づいて説明する。
図４は作業者１５が、本発明の除雪具１０を地上から屋根に積雪した雪に斜め方向から差し込み▲１▼、その後、操作部を軽く持ち上げる▲２▼と積雪した雪は平板部の大きさに割れ、塊ができ、手前に操作部１１を引く▲３▼と、平板部に載った雪の塊は、引く作用と、その自重で除雪具の平面部から滑り落ちる。また滑り落ちる勢いで地上まで落とすことが出来る。
図５は、滑り落ちずに残った雪を、除雪具１０を裏返し、背板部を利用して、操作部を手前に引けば▲４▼、背板部によって雪を容易にかき落として除雪できる。しかも万遍なく雪を地上までかき落とすことが出来る。
図６は作業者が屋根に上がって積雪した雪を除雪している状態図である。積もった雪の上から除雪部を押し込み▲５▼、軽く上に操作部を持ち上げ▲６▼下方に押す▲７▼と、押す作用と雪の自重により地上に雪を落とすことができる。
図７は滑り落ちずに残った雪を、除雪具１０を裏返し、背板部を利用して、操作部を下方に押せば▲８▼、背板部によって雪をかき落として除雪できる。
しかも万遍なく雪を地上までかき落とすことが出来る。地上から、あるいは屋根の上からの除雪でも、除雪具は雪の上に置いた状態で除雪作業が出来、また雪は滑り落ちるため作業者への負担は少ない。
なお、除雪具１０の使用方法や雪の落とし方は、これ以外でもよい。
【０００１７】    特に限定されるものではないが、平板部の大きさは、横  約４０ｃｍ、縦  約６０ｃｍ位が作業性、除雪の効率性がよい。背板部の高さは、あまり高いと作業性が悪くなり、約５ｃｍから１５ｃｍ位が作業性、除雪の効率性がよい。
なお、この発明の除雪具は上記実施形態に限定されるものでなく、平板部、背板部の形状は自由に変更可能である。ただし平板部の表面は雪が滑り落ちやすい摩擦抵抗の少ない状態が望ましい。
【符号の説明】
【０００１９】１０    除雪具
１１    操作部
１１ａ  筒状部材
１１ｂ  筒状部材
１１ｃ  筒状部材
１１ｄ  筒状部材
１１ｅ  筒状部材
１２    除雪部
１２ａ  平板部
１２ｂ  背板部
１３ａ  ボルト
１３ｂ  ナット
１４    伸縮リング
１５    作業者
１６    家屋
【図１】
2020070704.tif 000003
【図２】
2020070704.tif 000004
【図３】
2020070704.tif 000005
【図４】
2020070704.tif 000006
【図５】
2020070704.tif 000007
【図６】
2020070704.tif 000008
【図７】
2020070704.tif 000009